(57)【要約】【課題】  監視対象の診断情報等を統合して表示させることが可能なセンサ情報表示システムを実現する。【解決手段】  監視対象に設置されネットワークに接続されたセンサ手段の情報をネットワークを介して端末に送信して表示させるセンサ情報表示システムにおいて、ネットワークに接続された各種のセンサ手段と、ネットワーク経由で得られた各種センサ手段からの出力値に基づき監視対象の状態を診断し、診断結果と各種センサ手段の情報をコンピュータグラフィックにより視覚化する情報処理手段と、この情報処理手段が視覚化した情報をネットワーク経由で取得して表示させる端末とを設ける。【選択図】                    図１
2005100072.tif 000002
【特許請求の範囲】
【請求項１】
監視対象に設置されネットワークに接続されたセンサ手段の情報をネットワークを介して端末に送信して表示させるセンサ情報表示システムにおいて、
前記ネットワークに接続された各種のセンサ手段と、
前記ネットワーク経由で得られた前記各種センサ手段からの出力値に基づき監視対象の状態を診断し、診断結果と前記各種センサ手段の情報をコンピュータグラフィックにより視覚化する情報処理手段と、
この情報処理手段が視覚化した情報を前記ネットワーク経由で取得して表示させる端末と
を備えたことを特徴とするセンサ情報表示システム。
【請求項２】
前記情報処理手段が、
蓄積されている前記監視対象の構成情報のデータベースに基づき前記センサ手段の情報と前記センサ手段の影響が波及する装置の情報とを統合することを特徴とする
請求項１記載のセンサ情報表示システム。
【請求項３】
前記情報処理手段が、
蓄積されている監視対象のメンテナンス情報のデータベースに基づき前記センサ手段の情報とメンテナンス情報とを統合することを特徴とする
請求項１記載のセンサ情報表示システム。
【請求項４】
前記情報処理手段が、
複数の前記センサ手段の測定値を１つのグラフィックスで表示させることを特徴とする
請求項１乃至請求項３のいずれかに記載のセンサ情報表示システム。
【請求項５】
前記監視対象が、
プラント若しくは設備であることを特徴とする
請求項１乃至請求項４のいずれかに記載のセンサ情報表示システム。
【請求項６】
レストランの顧客管理に適用したことを特徴とする
請求項１乃至請求項４のいずれかに記載のセンサ情報表示システム。
【発明の詳細な説明】
【技術分野】
【０００１】
本発明は、監視対象に設置されネットワークに接続されたセンサ手段の情報をネットワークを介して端末に送信して表示させるセンサ情報表示システムに関し、特に監視対象の診断情報等を統合して表示させることが可能なセンサ情報表示システムに関する。
【背景技術】
【０００２】
従来の監視対象に設置されネットワークに接続されたセンサ手段の情報をネットワークを介して端末に送信して表示させるセンサ情報表示システムに関連する先行技術文献としては次のようなものがある。
【０００３】
【特許文献１】特開平１０−３２６１０９号公報
【特許文献２】特開２０００−１８７７１９号公報
【特許文献３】特開２００１−１８４１８８号公報
【特許文献４】特開２００１−２８２９４５号公報
【特許文献５】特開２００２−０８６５３１号公報
【特許文献６】特開２００２−１６９７０５号公報
【特許文献７】特開２００２−２７９０９１号公報
【特許文献８】特開２００３−０４６６５９号公報
【０００４】
図４はこのような従来のセンサ情報表示システムの一例を示す構成ブロック図である。図４において１はタンク等の監視対象に設置された温度計等の温度センサ手段、２はタンク等の監視対象に設置されたレベルメータ等の水位センサ手段、３はタンク等の監視対象に供給される流体の量を調整するバルブ手段、４はタンク等の監視対象内の温度を調整する温度調節手段、５はコンピュータ等の情報端末、６はＰＤＡ（Personal Digital Assistant）、ＰＨＳ（Personal Handyphone System）や携帯電話等の携帯端末、１００及び１０１はＬＡＮやインターネット等の汎用のネットワーク（有線ネットワーク、或いは、無線ネットワークかは問わず。）である。
【０００５】
タンク等の監視対象に設置等された温度センサ手段１、水位センサ手段２、バルブ手段３及び温度調節手段４はネットワーク１００に相互に接続され、情報端末５もまたネットワーク１００に接続される。また、携帯端末６はネットワーク１０１を介して情報端末５に接続される。
【０００６】
ここで、図４に示す従来例の動作を図５を用いて説明する。図５は情報端末５、若しくは、携帯端末６の表示画面の一例を示す説明図である。
【０００７】
ネットワーク１００に接続された各センサ手段等は測定した出力信号をネットワーク１００経由で情報端末５に送信する。また、必要に応じて情報端末５はネットワーク１０１を介して携帯端末６の受信した出力信号を送信する。
【０００８】
当該出力信号を受信した情報端末５若しくは携帯端末６は受信した出力信号から測定値を取得してテキスト表示する。
【０００９】
例えば、図５中”ＤＳ０１”に示す情報端末５若しくは携帯端末６の表示手段には、図５中”ＩＦ０１”に示すような監視対象であるタンクの番号が表示されると共に、図５中”ＩＦ０２”及び”ＩＦ０３”に示すように水位センサ手段２及び温度センサ手段１の測定値である水位及び温度がテキスト表示される。
【００１０】
また、或いは、必要に応じて、出力値を模式図上にグラフィカルに表示させることにより視認性を向上させる。
【００１１】
この結果、情報端末５若しくは携帯端末６の表示手段にネットワーク経由で監視対象に設置された各種センサ手段から取得した測定値を表示させることにより、遠隔地からであっても監視対象に設置された各種センサ手段の測定値を確認することが可能になる。
【発明の開示】
【発明が解決しようとする課題】
【００１２】
しかし、図４に示すような従来例では、情報端末若しくは携帯端末の表示手段上に監視対象名や各種センサ手段の出力値をテキスト表示等することができるものの、監視対象の状況や監視対象に影響が波及すると言った情報、若しくは、監視対象の診断情報とそれぞれ統合して出力値等の情報を表示させることが困難であった。
従って本発明が解決しようとする課題は、監視対象の診断情報等を統合して表示させることが可能なセンサ情報表示システムを実現することにある。
【課題を解決するための手段】
【００１３】
このような課題を達成するために、本発明のうち請求項１記載の発明は、
監視対象に設置されネットワークに接続されたセンサ手段の情報をネットワークを介して端末に送信して表示させるセンサ情報表示システムにおいて、
前記ネットワークに接続された各種のセンサ手段と、前記ネットワーク経由で得られた前記各種センサ手段からの出力値に基づき監視対象の状態を診断し、診断結果と前記各種センサ手段の情報をコンピュータグラフィックにより視覚化する情報処理手段と、この情報処理手段が視覚化した情報を前記ネットワーク経由で取得して表示させる端末とを備えたことにより、監視対象の診断情報と統合して表示させることが可能になる。
【００１４】
請求項２記載の発明は、
請求項１記載の発明であるセンサ情報表示システムにおいて、
前記情報処理手段が、
蓄積されている前記監視対象の構成情報のデータベースに基づき前記センサ手段の情報と前記センサ手段の影響が波及する装置の情報とを統合することにより、センサ手段の影響が波及する装置の情報を容易に確認することができる。
【００１５】
請求項３記載の発明は、
請求項１記載の発明であるセンサ情報表示システムにおいて、
前記情報処理手段が、
蓄積されている監視対象のメンテナンス情報のデータベースに基づき前記センサ手段の情報とメンテナンス情報とを統合することにより、行うべきメンテナンス作業を把握することができるので作業者の作業効率が向上する。
【００１６】
請求項４記載の発明は、
請求項１乃至請求項３のいずれかに記載の発明であるセンサ情報表示システムにおいて、
前記情報処理手段が、
複数の前記センサ手段の測定値を１つのグラフィックスで表示させることにより、複数の情報を１つのグラフィックスから視覚的に把握することが可能になる。
【００１７】
請求項５記載の発明は、
請求項１乃至請求項４のいずれかに記載の発明であるセンサ情報表示システムにおいて、
前記監視対象が、
プラント若しくは設備であることにより、監視対象の診断情報等と統合して表示させることが可能になる。
【００１８】
請求項６記載の発明は、
請求項１乃至請求項４のいずれかに記載の発明であるセンサ情報表示システムにおいて、
レストランの顧客管理に適用したことにより、監視対象の診断情報等と統合して表示させることが可能になる。
【発明の効果】
【００１９】
本発明によれば次のような効果がある。
請求項１，５及び請求項６の発明によれば、情報処理手段で各種センサ手段の出力値に基づき監視対象の状態を診断し、診断結果と各種センサ手段の情報（出力値）をコンピュータグラフィックにより視覚化して端末の表示手段にネットワーク経由で測定値や視覚化されたグラフィックスを表示させることにより、監視対象の診断情報と統合して表示させることが可能になる。
【００２０】
また、請求項２，５及び請求項６の発明によれば、情報処理手段が、記憶手段に蓄積されている監視対象の構成情報のデータベースに基づきセンサ手段の情報とセンサ手段の影響が波及する装置の情報とを統合することにより、センサ手段の影響が波及する装置の情報を容易に確認することができる。
【００２１】
また、請求項３，５及び請求項６の発明によれば、情報処理手段が、記憶手段に蓄積されている監視対象のメンテナンス情報のデータベースに基づき各種センサ手段の情報とメンテナンス情報とを統合することにより、行うべきメンテナンス作業を把握することができるので作業者の作業効率が向上する。
【００２２】
また、請求項４の発明によれば、情報処理手段が、複数のセンサ手段の測定値を１つのグラフィックスで表示させることにより、複数の情報を１つのグラフィックスから視覚的に把握することが可能になる。
【発明を実施するための最良の形態】
【００２３】
以下本発明を図面を用いて詳細に説明する。図１は本発明に係るセンサ情報表示システムの一実施例を示す構成ブロック図である。図１において１，２，３，４，５，６，１００及び１０１は図４と同一符号を付してあり、７は監視対象の診断機能や情報の視覚化機能を有する情報処理手段、８は監視対象の構成情報やメンテナンス情報のデータベースが蓄積されている記憶手段である。
【００２４】
タンク等の監視対象に設置等された温度センサ手段１、水位センサ手段２、バルブ手段３及び温度調節手段４はネットワーク１００に相互に接続され、情報端末５もまたネットワーク１００に接続される。また、携帯端末６はネットワーク１０１を介して情報端末５に接続される。さらに、情報処理手段７がネットワーク１００に接続され、記憶手段８が情報処理手段７に相互に接続される
【００２５】
ここで、図１に示す実施の動作を図２を用いて説明する。図２は情報端末５、若しくは、携帯端末６の表示画面の一例を示す説明図である。
【００２６】
ネットワーク１００に接続された各センサ等は測定した出力信号をネットワーク１００経由で情報処理手段７に送信され、情報処理手段７の診断機能は各種センサ手段の出力値に基づき監視対象の状態を診断し、情報処理手段７の視覚化機能は診断結果と各種センサ手段の情報（出力値）をコンピュータグラフィックにより視覚化する。
【００２７】
このように視覚化された情報はネットワーク１００経由で情報端末５に送信され、また、必要に応じて情報端末５はネットワーク１０１を介して携帯端末６の受信した視覚化された情報を送信する。
【００２８】
当該視覚化された情報を受信した情報端末５若しくは携帯端末６は受信した情報のグラフィックスを表示したり測定値をテキスト表示する。
【００２９】
例えば、図２中”ＤＳ１１”に示す情報端末５若しくは携帯端末６の表示手段には、図２中”ＩＦ１１”に示すような監視対象であるタンクの番号が表示されると共に、図２中”ＩＦ１２”及び”ＩＦ１３”に示すように水位センサ手段２及び温度センサ手段１の測定値である水位及び温度がテキスト表示される。
【００３０】
また、図２中”ＤＳ１１”に示す情報端末５若しくは携帯端末６の表示手段には、図２中”ＩＦ１４”に示すようなメンテナンス情報が表示される。
【００３１】
さらに、図２中”ＤＳ１１”に示す情報端末５若しくは携帯端末６の表示手段には、図２中”ＧＲ１１”に示すような監視対象であるタンクのグラフィックスが表示されると共に図２中”ＷＬ１１”に示すように当該タンクに蓄えられている液体の水位がグラフィックスで表示される。
【００３２】
この結果、情報処理手段７で各種センサ手段の出力値に基づき監視対象の状態を診断し、診断結果と各種センサ手段の情報（出力値）をコンピュータグラフィックにより視覚化して情報端末５若しくは携帯端末６の表示手段にネットワーク経由で測定値や視覚化されたグラフィックスを表示させることにより、監視対象の診断情報と統合して表示させることが可能になる。
【００３３】
また、情報処理手段７が、記憶手段８に蓄積されている監視対象の構成情報のデータベースに基づきセンサ手段の情報とセンサ手段の影響が波及する装置の情報とを統合することにより、センサ手段の影響が波及する装置の情報を容易に確認することができる。
【００３４】
例えば、温度センサ手段１の測定値が”８０度”を超過した場合に、温度調節手段４に影響が波及するとの情報が構成情報のデータベースに蓄積されていれば、情報処理手段７は温度センサ手段１の影響が波及する温度調節手段４の情報も併せて情報端末５若しくは携帯端末６に提供する。
【００３５】
また、情報処理手段７が、記憶手段８に蓄積されている監視対象のメンテナンス情報のデータベースに基づき各種センサ手段の情報とメンテナンス情報とを統合することにより、行うべきメンテナンス作業を把握することができるので作業者の作業効率が向上する。
【００３６】
例えば、温度センサ手段１の測定値が”８０度”を超過した場合に、温度調節手段４のメンテナンスが必要であると言う情報がメンテナンス情報のデータベースに蓄積されていれば、情報処理手段７は温度センサ手段１の測定値に対応して温度調節手段４のメンテナンスの必要性の情報も併せて情報端末５若しくは携帯端末６に提供する。
【００３７】
なお、図１に示す実施例では、各種センサ手段として温度計やレベルメータ等のセンサ手段を例示しているが、勿論、このようなセンサ手段に限定されるものではなく、本願発明の出願時に周知である、例えば、圧力計、重量計、密度計、湿度計、速度計、流速計等の一般的なセンサ手段であれば何であっても構わない。
【００３８】
また、図１に示す実施例では、説明の簡単の為に各種機能を有する情報処理手段７とデータベースが蓄積されている記憶手段８とを別個に記載しているが、勿論、１台のサーバ等の処理手段（処理機能及び記憶手段を共に有する）によって１つに統合することは容易に可能である。
【００３９】
また、図２に示す情報端末５、若しくは、携帯端末６の表示画面の一例を示す説明図においては、図２中”ＷＬ１１”に示すように液体の水位のみをグラフィックスで表示させているが、当該液体の温度までをグラフィックスで表示させても構わない。言い換えれば、複数の測定値を１つのグラフィックスで表示させても構わない。
【００４０】
図３は情報端末５、若しくは、携帯端末６の表示画面の他の一例を示す説明図であり、”ＤＳ１１”、”ＩＦ１１”、”ＩＦ１２”、”ＩＦ１３”、”ＩＦ１４”及び"ＧＲ１１”に関しては図２と同一符号を付してある。
【００４１】
例えば、図３中”ＷＬ２１”に示すようにタンクに蓄えられている液体の水位がグラフィックスで表示されているが、併せて、表示色を変化させることにより液体の温度を表している。
【００４２】
すなわち、図３中”ＩＮ２１”に示すように表示色と温度との関係を示すインデックスを図３中”ＧＦ１１”に示すグラフィックスの近傍に表示させることにより、図３中”ＷＬ２１”に示す水位の表示色から温度を視覚的に把握することが可能になる。言い換えれば、複数の情報を１つのグラフィックスから視覚的に把握することが可能になる。
【００４３】
また、図１等に示す実施例では監視対象としてタンク等のプラントや設備のような大きな物体を想定しているが、勿論、このようなものに限定されるわけではない。例えば、レストランの顧客管理で適用しても構わない。
【００４４】
このような適用例の場合には、レストランのテーブルに置かれているグラスを監視対象とし、当該グラス中に注がれているワイン等の液体の量を測定するようなセンサ情報表示システムを実現する場合には、グラスに埋設された重量センサや水位計等のセンサ手段を無線ネットワークによって情報処理手段に接続する。
【００４５】
そして、情報処理手段は重量センサ等の測定値からグラス中の液体の量を求めると共にグラスの上げ下ろし回数等も把握し、無線ネットワークに接続された携帯端末に前記グラスの液体の量等を表示させることにより、レストランの従業員にリアルタイムで顧客の状況を確認させることが可能になる。
【図面の簡単な説明】
【００４６】
【図１】本発明に係るセンサ情報表示システムの一実施例を示す構成ブロック図である。
【図２】情報端末若しくは携帯端末の表示画面の一例を示す説明図である。
【図３】情報端末若しくは携帯端末の表示画面の他の一例を示す説明図である。
【図４】従来のセンサ情報表示システムの一例を示す構成ブロック図である。
【図５】情報端末若しくは携帯端末の表示画面の一例を示す説明図である。
【符号の説明】
【００４７】
１  温度センサ手段
２  水位センサ手段
３  バルブ手段
４  温度調節手段
５  情報端末
６  携帯端末
７  情報処理手段
８  記憶手段
１００，１０１  ネットワーク
【図１】
2005100072.tif 000003
【図２】
2005100072.tif 000004
【図３】
2005100072.tif 000005
【図４】
2005100072.tif 000006
【図５】
2005100072.tif 000007